(57)【要約】【課題】Ｃアームの両端部にＸ線管部とＸ線受光部が保持されて成るＸ線撮影装置において、従来以上の拡大撮影を可能にする。【解決手段】Ｘ線管部２をＸ線照射軸ｘに沿って移動させる移動機構７を備える。移動機構７は、例えばスライドレールとこれを駆動するモータ（いずれも図示せず）等で構成される。このように構成することにより、Ｘ線管−被検体間の距離を調整することで、拡大率を変えることが可能となり、例えば、狭窄を生じた血管を拡大して観察することもできる。【選択図】          図１
2007181545.tif 000002
【特許請求の範囲】
【請求項１】
Ｘ線を発生するＸ線管部と、前記Ｘ線の照射軸上に配置されたＸ線受光部と、前記Ｘ線管部と前記Ｘ線受光部を両端部にそれぞれ保持するアームと、前記照射軸を横断する被検体載置テーブル上の被検体の回りに回動可能に前記アームを支持する支持部材とから成り、前記Ｘ線受光部において前記被検体のＸ線透視画像を生成するＸ線撮影装置において、前記Ｘ線管部を前記照射軸に沿って移動させる移動機構を備えたことを特徴とするＸ線撮影装置。
【発明の詳細な説明】
【技術分野】
【０００１】
本発明は、被検体を多方向からＸ線透視撮影できるＸ線撮影装置に関する。
【背景技術】
【０００２】
例えばＸ線による心血管撮影の場合、冠動脈は心臓の表裏を取り巻いて３次元的に走行しているため一方向からのみ撮影すると多くの血管が重なって写り、また、Ｘ線照射軸に平行または斜めに走る血管は変形して写る。病変のある血管を他の血管と分離して正碓な血管像を得るためには多方向から撮影（角度付け撮影）する必要がある。このための撮影装置としては、Ｃ字形のアーム（以下、Ｃアーム）の両端それぞれにＸ線管を含むＸ線管部とイメージインテンシファイア等のイメージ管やカメラ等からなるＸ線受光部とを対向させて保持する構造とし、このＣアームを被検体の体軸回りに回転させ、或いは体軸方向にスライドさせることで角度付けを可能にするように構成されている。
【０００３】
近年、Ｃアームに保持されたＸ線管部とＸ線受光部が被検体の回りに回転しながら撮影する回転ＤＳＡ（Ｄｉｇｉｔａｌ  ｓｕｂｔｒａｃｔｉｏｎ  ａｎｇｉｏｇｒａｐｈｙ）や、得られたデータを処理して３次元画像を再構成する３次元ａｎｇｉｏｇｒａｐｈｙ等の技法も発展している。
このようなＣアームを用いたＸ線撮影装置については、特許文献１にも従来技術として記載されている。なお、Ｃアームを変形したＵ字形アームを用いる例もある。
【０００４】
【特許文献１】特開平６−１０５８３１号公報
【発明の開示】
【発明が解決しようとする課題】
【０００５】
上記のＣアームを有するＸ線撮影装置では、撮影される画像の拡大率は、Ｘ線管−被検体−Ｘ線受光部の位置関係において、Ｘ線管−Ｘ線受光部間の距離とＸ線管−被検体間の距離との比で定まる。従って、通常はＸ線受光部をＸ線照射軸に沿って移動させることにより拡大率を調整するように構成されている。
【０００６】
しかし、例えば前記回転ＤＳＡにおいて特定の血管などを拡大して撮影する場合は、さらに大きな拡大率が要求される。そのような場合、Ｃアームの回転軸と被検体との相対位置を変えれば、Ｘ線管−被検体間の距離も変わるので拡大率が調整できるように思われる。しかし、心臓など診断対象となる臓器を含む関心領域を回転中も常に撮影の視野内に収めるために、関心領域はＣアームの回転軸付近に位置する必要があるので、Ｃアームの回転軸と被検体との相対位置は変えてはならない。つまり、このような方法で拡大率をさらに大きくすることはできない。
【０００７】
拡大率をさらに増大させるにはＸ線管−被検体間の距離を変えるべきであるが、従来、Ｘ線管を収めたＸ線管部とＣアームの回転中心との距離は、心臓など診断対象となる臓器がＸ線受光部の視野サイズに収まるような値で固定されているため、それ以上の拡大撮影は不可能となっていた。
本発明はこのような事情に鑑みてなされたものであり、Ｃアームの両端部にＸ線管部とＸ線受光部が保持されて成るＸ線撮影装置において、従来以上の拡大撮影を可能にすることを目的とする。
【課題を解決するための手段】
【０００８】
本発明は、上記課題を解決するために、Ｘ線管部をＸ線照射軸に沿って移動させる移動機構を備えた。このように構成したことにより、Ｘ線管−被検体間の距離を調整することで、拡大率を変えることが可能となる。
【発明の効果】
【０００９】
本発明は上記のように構成されているので、Ｘ線管部をＸ線照射軸方向に被検体に接近させることでＸ線受光部における画像の拡大率を増し、従来よりも大きく拡大された画像を得ることができるので、例えば、狭窄を生じた血管を詳細に観察することが可能となる。撮影データ収集後に画像処理によって拡大像を得る場合に比べて、データ収集の段階で既に拡大されているので精密な画像が得られ、例えば、血管径を計測する場合も誤差を小さくすることができる。
【発明を実施するための最良の形態】
【００１０】
本発明が提供するＸ線撮影装置の特徴は、Ｃアームに保持されたＸ線管部がＸ線照射軸に沿って移動できるように構成した点にある。従って、最良の形態の基本的な構成は、そのような移動機構を備えたＸ線撮影装置である。
【実施例１】
【００１１】
図１および図２に本発明の一実施例の構成を示す。
図１において、Ｘ線管部２とＸ線受光部３がＣアーム４の両端にそれぞれ保持されており、Ｃアーム４は回転軸Ｌの回りに回動可能に支持部材１によって支持されている。被検体載置テーブル５は、Ｘ線管部２内に収められたＸ線管２ａからＸ線受光部３に向かうＸ線照射軸ｘを横切るように設けられると共に、その上に横臥する被検体６の体軸がＣアーム４の回転軸Ｌとほぼ一致するように高さが調整されている。これは、Ｃアーム４を回転させながら被検体６の撮影を行う際に、関心領域が回転中も常にＸ線受光部３の視野内に収まるようにするためである。
【００１２】
Ｘ線管部２はＸ線照射軸ｘに沿って移動可能にＣアーム４の下端に保持される。図２はその構造を例示したものである。
図２において、図１と同じ符号を付したものは図１と同一物である。図２に示すように、Ｘ線管部２は移動機構７を介してＣアーム４の下端に保持される。移動機構７は、例えばスライドレールとこれを駆動するモータ、およびこれらの間の伝動機構（例えば、ラック・ピニオン機構）等で構成され、Ｘ線管部２をＸ線照射軸ｘと平行に移動させることにより、Ｘ線管２ａとＸ線受光部３との間の距離を調整する。
【００１３】
図３は、Ｘ線管部２の焦点Ｆ、Ｘ線受光部３の受光面Ｓ、および被検体６との位置関係を模式的に示した図であり、同図（Ａ）は、例えば心血管撮影の場合であれば心臓全体が視野内に収まるように設定された従来装置における位置関係を、同図（Ｂ）は、本実施例においてＸ線管部２を被検体６に近付くように移動させた場合の位置関係を示す。
同図（Ａ）に示すように、焦点Ｆ−被検体６間、および被検体６−受光面Ｓ間の距離をそれぞれａ１、ｂ１とすると、受光面Ｓに投影される像の拡大率Ｅ１は次式で表される。
Ｅ１＝ｂ１／ａ１  ・・・・・・（１）
同様に、同図（Ｂ）に示すように、焦点Ｆをｃだけ被検体６に近づけた場合の焦点Ｆ−被検体６間、および被検体６−受光面Ｓ間の距離をそれぞれａ２、ｂ２とすると、拡大率Ｅ２は次式で表される。
Ｅ２＝ｂ２／ａ２
＝（ｂ１−ｃ）／（ａ１−ｃ）  ・・・・・・（２）
次に、これらＥ１、Ｅ２の大きさを比較するために、両者の差の正負を調べてみる。
Ｅ２−Ｅ１＝（ｂ１−ｃ）／（ａ１−ｃ）−ｂ１／ａ１
＝（ｂ１−ａ１）ｃ／ａ１（ａ１−ｃ）  ・・・・・・（３）
ここで、図から、ｂ１＞ａ１＞ｃ  であり、且ついずれも正数であることから（３）式は正数であり、従って、Ｅ２＞Ｅ１であることがわかる。即ち、図３（Ｂ）における拡大率は同図（Ａ）の場合よりも大きいことになり、Ｘ線管２ａを被検体６に近づけることにより拡大された画像を得ることができる。
【００１４】
以上、主として心血管撮影の場合を例示して説明したが、本発明装置はその他のＸ線撮影にも適用できる。
【産業上の利用可能性】
【００１５】
本発明はＸ線撮影装置に利用できる。
【図面の簡単な説明】
【００１６】
【図１】本発明の一実施例を示す図である。
【図２】本発明の一実施例の部分を示す図である。
【図３】本発明の一実施例の作用を説明する図である。
【符号の説明】
【００１７】
１  支持部材
２  Ｘ線管部
２ａ  Ｘ線管
３  Ｘ線受光部
４  Ｃアーム
５  被検体載置テーブル
６  被検体
７  移動機構
【図１】
2007181545.tif 000003
【図２】
2007181545.tif 000004
【図３】
2007181545.tif 000005